(57)【要約】【課題】本発明は、制御部を、薬液槽のコンパクト性を保ちながら、薬液注入ポンプからの薬液に影響されぬように設置できる薬液注入装置を提供する。【解決手段】本発明の薬液注入装置は、制御部３０の設置として、薬液槽２の壁部に凹部３１を形成し、同凹部３１内に制御部３０を収納する構造を採用して、制御部３０を薬液槽２の一部に埋め込むようにした。これにより、制御部３０は、薬液注入ポンプ１０に影響されず、さらには薬液槽２のコンパクト化を図りながら設置が行える。【選択図】      図１
2006081976.tif 000002
【特許請求の範囲】
【請求項１】
薬液が貯溜される薬液槽と、
前記薬液槽内の薬液を圧送する薬液注入ポンプと、
前記薬液注入ポンプからの薬液を薬液注入対象物へ注入する薬液注入部と、
前記薬液注入ポンプの運転を制御する制御部とを備え、
前記制御部が、収納手段によって、前記薬液槽の一部に埋め込まれる
ことを特徴とする薬液注入装置。
【請求項２】
請求項１に記載の薬液注入装置において、
前記収納手段は、前記薬液注入槽の壁部に形成した凹部を有し、
前記制御部は、前記凹部内に収納されることによって、前記薬液槽の一部に埋め込まれることを特徴とする薬液注入装置。
【請求項３】
請求項２に記載の薬液注入装置において、
前記薬液注入ポンプは、前記薬液槽の前面壁の下側に形成した段差空間内に設置され、
前記凹部は、前記薬液槽の前面壁の上側に形成され、
さらに前記凹部の下部は、前記段差空間と開口していて、該開口を通じて、前記制御部と前記薬液注入ポンプとが結線される
ことを特徴とする薬液注入装置。
【請求項４】
請求項２又は請求項３に記載の薬液注入装置において、
前記収納手段は、さらに前記凹部の開口を塞ぐ板状のカバー部と該カバー部の裏面に形成された機器設置部とを有してなる蓋部材を有し、
前記制御部は、前記凹部内に収まるように前記機器設置部に組み付けてある
ことを特徴とする薬液注入装置。
【請求項５】
前記請求項４に記載の薬液注入装置において、
前記カバー部の周縁部は、前記凹部の開口縁にシールされながら固定されることを特徴とする薬液注入装置。
【請求項６】
請求項４又は請求項５に記載の薬液注入装置において、
前記カバー部の前面は、前記薬液槽の前面壁に設けた前面カバーで覆われることを特徴とする薬液注入装置。
【発明の詳細な説明】
【技術分野】
【０００１】
本発明は、例えば配管経路を流れる流体などに薬液を注入する薬液注入装置に関する。
【背景技術】
【０００２】
近年、井戸の水を給水するシステムでは、衛生面の向上のため、除菌装置を用いて井戸水を除菌することが進められている。
【０００３】
除菌装置の多くは、井戸水に薬液を注入する薬液注入装置が用いられる。この薬液注入装置のほとんどは、薬液を貯溜する薬液槽、薬液を圧送する薬液注入ポンプ、同ポンプからの薬液を配管などに注入する薬液注入部、薬液ポンプの運転を制御する制御部などを組み合わせてユニット化した構造が用いられる。そして、薬液注入装置は、薬液注入部を薬液対象物、例えば井戸水が流れる給水ラインの配管に接続して、薬液注入ポンプを運転することにより、薬液槽内の薬液を給水ラインの井戸水へ注入していた。
【０００４】
ところで、薬液注入装置の制御部の多くは、薬液注入ポンプと一体に設ける構造が採用されている（例えば特許文献１を参照）。
【特許文献１】実開平７−２２０７７号公報
【発明の開示】
【発明が解決しようとする課題】
【０００５】
ところで、薬液注入ポンプは、各種の部品を組み合わせて構成される製品である。しかも、薬液など電気的に影響を及ぼしやすい薬液を取り扱う製品でもある。
【０００６】
このため、薬液注入ポンプに制御部を一体に設置する構造は、薬液が、ポンプを構成する部品間から漏洩する場合を考慮したシール構造、ポンプ吸込部やポンプ吐出部での接続部から漏洩する場合を考慮したシール構造など、多くのケースを考慮して、制御部を薬液から絶縁することが求められる。つまり、同制御部の設置は、絶縁性能を確保する都合、構造が複雑になりやすい傾向にある。
【０００７】
このような構造を施しても、薬液注入ポンプが接近した地点にある以上、制御部における絶縁不良の不安は払拭できない。
【０００８】
このため、薬液注入装置の一部では、薬液槽の外面に制御部を取着して、薬液注入ポンプから離れた地点に制御部を配置することが行われている。しかし、同構造は、薬液槽の表面から制御部が突き出る。このため、薬液槽のコンパクト性が損なわれてしまう。特に薬液注入装置は、与えられた設置スペースに、できるだけ収まりやすい性能が求められるが、このような性能が、制御部の設置によって損なわれてしまう。
【０００９】
そこで、本発明の目的は、制御部を、薬液槽のコンパクト性を保ちながら、薬液注入ポンプからの薬液に影響されぬように設置できる薬液注入装置を提供することにある。
【課題を解決するための手段】
【００１０】
請求項１に記載の発明は、上記目的を達成するために、制御部を薬液槽の一部に埋め込む構造とした。
【００１１】
請求項２に記載の発明は、上記目的に加え、簡単な構造で、制御部が薬液槽に埋め込めるよう、薬液槽の壁部に凹部を形成し、同凹部内に制御部を収納させる構造とした。
【００１２】
請求項３に記載の発明は、上記目的に加え、さらに薬液注入ポンプとの間における結線が容易に行えるよう、薬液注入ポンプは、薬液槽の前面壁の下側に形成した段差空間内に設置し、凹部は、薬液槽の前面壁の上側に形成し、さらに凹部の下部は段差空間に開口させて、該開口を通じて、制御部と薬液注入ポンプとが結線される構成とした。
【００１３】
請求項４に記載の発明は、さらに上記目的に加え、さらに簡単な構造で、凹部に制御部が収められるよう、凹部の開口を塞ぐ板状のカバー部の裏面に機器設置部を有してなる蓋部材を用い、制御部は、凹部内に収まるように機器設置部に組み付ける構成とした。
【００１４】
請求項５に記載の発明は、さらに機器設置部の構造が簡素化されるよう、カバー部の周縁部が、凹部の開口縁に、シールしながら固定される構成にして、機器設置部をシール性の負担の少ない簡素な構造にした。
【００１５】
請求項６に記載の発明は、さらに高いシール効果が確保されるよう、薬液槽の前面壁に設けた前面カバーで、カバー部の前面を覆う構成とした。
【発明の効果】
【００１６】
請求項１に記載の発明によれば、薬液注入ポンプに影響されず、さらには薬液槽のコンパクト化を図りながら、制御部の設置ができる。
【００１７】
請求項２に記載の発明によれば、制御部の埋め込みは、薬液槽の一部に形成した凹部に制御部を収めるという簡単な構造ですむ。
【００１８】
請求項３に記載の発明によれば、上記効果に加え、制御部と薬液注入ポンプとをむすぶ結線が容易にできる。しかも、凹部の下部の開口は、結線に利用されるだけでなく、凹部内の水抜き性を確保する要素ともなり、万一の浸水などに対しても十分対処できる。
【００１９】
請求項４に記載の発明によれば、上記効果に加え、凹部の開口を塞ぐ蓋部材を用いた簡単な構造で、薬液槽の凹部内に制御部を収めることができる。
【００２０】
請求項５に記載の発明によれば、上記効果に加え、薬液槽の凹部内に収まる機器設置部は、シール性の負担が軽減される。そのため、機器設置部は、簡素な構造ですむ。
【００２１】
請求項６に記載の発明によれば、上記効果に加え、制御部は、前面カバーがもたらすシール性、蓋部材がもたらすシール性により、十分に外部からの水や薬液の進入に耐えることができる。
【発明を実施するための最良の形態】
【００２２】
［一実施形態］
以下、本発明を図１〜図４に示す一実施形態にもとづいて説明する。
【００２３】
図１（ａ）は、薬液注入装置、例えば井戸水の除菌に用いられる除菌装置の正面図を示し、図１（ｂ）は同除菌装置の側面図を示し、図２は前面カバーを取り外した斜視図を示し、図３および図４は制御部の収納構造の各部を示している。
【００２４】
図１および図２を参照して除菌装置の構造を説明すると、同中１は、例えば金属部材で形成された矩形盤状のベース、２は同ベース１上に設置された例えば合成樹脂製の箱形の薬液タンク（本願の薬液槽に相当）である。薬液タンク２の内部には、薬液タンク２上部の薬液投入部３から投入される薬液、例えば井戸水を除菌するのに使用する薬液（図示しない）が貯溜される。なお、４は薬液投入部３の開口を塞ぐキャップ、５は薬液タンク６の側壁下部に形成された閉止済みのドレン口部を示す。
【００２５】
薬液タンク２の前面側には、薬液タンク２内の薬液を圧送する薬液注入ポンプ１０、同ポンプ１０からの薬液を薬液注入対象物へ注入する薬液注入モジュール２０（薬液注入部に相当）、薬液注入ポンプ１０の運転を制御する制御部３０とが組み込まれている。
【００２６】
このうち薬液注入ポンプ１０や薬液注入モジュール２０を組込む構造には、薬液タンク２の前面下側に機器収納域Ａ（本願の段差空間に相当）を形成する構造が用いられている。機器収納域Ａは、薬液タンク６の前面壁６ａの下側の壁部分６ｂを、他の部分より後方へ退避させ、さらに同壁部分６ｂの中央部分６ｃを後方へ退避させて、これら壁部分６ｂ，６ｃと、この壁部分６ｂ，６ｃの退避によって現れたベース１の前部とで囲まれる段差空間から構成される。この機器収納域Ａの上側の空間内に、薬液注入ポンプ１０が設置され、機器収納域Ａの最下部となるベース１の前部上に、井戸水の給水配管Ｘ（図１中に二点鎖線で図示：薬液注入対象物）と接続可能な薬液注入モジュール２０が設置される。
【００２７】
さらに述べれば、薬液注入ポンプ１０は、例えば駆動源としての横向きのモータ部１１ａと、同モータ部１１ａで直動されるポンプ部１１ｂとを有して、ユニット化してある。このうちのモータ部１１ａが、壁部分６ｃを底部とした段差空間内に収められ、ポンプ部１１ｂが、壁部６ｂの前方の開放した部分に収められている。またポンプ部１１ｂに取着された支持部材、すなわちポンプ１１ｂの前部から下方へ延びる板状の脚部１２は、ベース１の上面中央にボルト１３で固定されている。これで、前後向き姿勢で薬液注入ポンプ５の全体を機器収納域Ａに設置させている。
【００２８】
またポンプ部１１ｂの吸込部から延びるホース部材１４の先端部は、接続具１５を用いて、例えば薬液タンク２の前面下部に設けた流出部２ａに接続されている。これにより、薬液注入ポンプ１０の運転に伴い、薬液タンク２の薬液が、ポンプ部１１ｂの吐出部から延びているホース部材１６へ圧送できるようにしている。
【００２９】
薬液注入モジュール２０は、ベース１の前部上面に左右（幅方向）に沿って例えば細長のパイプ状部材からなる本体部２１を設置し、この本体部２１に薬液の注入に必要な各部を設けた構造が用いられている。すなわち、本体部２１の両端には、井戸水の給水配管Ｘと接続可能な入口部２２および出口部２３が形成されている。また本体部２１に、上流側から流量センサ部２４（一部しか図示せず）、凍結防止用ヒータ２５（一部しか図示せず）、薬液注入部２６が設けられている。
【００３０】
そして、薬液注入部２６には、コネクタ２７を用いて、ホース部材１６端が接続され、薬液注入ポンプ１０からの薬液が、本体部２１を流れる流体（井戸水）へ注入できるようにしている。
【００３１】
一方、制御部３０の組込みには、図３および図４に示されるように薬液タンク６の前面壁６ａの上側に、例えば角形の凹部３１を形成した収納構造（本願の収納手段に相当）が用いられている。具体的には、凹部３１は、前面壁６ａの上段中央から壁部分６ｂ（段差した壁部分）の境界部までに渡り形成されている。凹部３１は、この壁部分６ｂの境界部までの形成を利用して、下方を開口させている。これで、凹部３１の下側の開口３１ａは機器収納域Ａに開口する。
【００３２】
制御部３０は、凹部３１の前面壁６ａで開口している開口部３１ｂを塞ぐ合成樹脂製の蓋部材３２を用いて、凹部３１内に収納させてある。すなわち、図４に示されるように蓋部材３２は、凹部３１の前面の開口部３１ｂを覆う板状のカバー部３３と、同カバー部３３の裏面側に形成された機器設置部３４とを有した構造が用いられている。具体的には、機器設置部３４は、例えばカバー部３３の裏面に角形の壁を一体に突設させた枠形部３５が用いられる。この枠形部３５は、凹部３１と嵌合可能な大きさをもつ。そして、この枠形部３５の後方（開放側）から、制御部３０を構成する制御機器、例えば除菌装置の運転を操作（起動・停止など）する操作パネル３７ａ（図３に図示）および各種電子機器３７ｂなどを搭載した回路基板３７が、枠形部３５の内部に組み付けられている。つまり、制御部３０は、凹部３１内に収納可能に組み付けられる。この組み付けから、凹部３１の収納に適した外形をもつ、制御部３０内蔵の電装箱３９を形成している。なお、操作パネル３７ａは、カバー部３３に形成された切欠き部３３ａから、シールされながら外部に臨む。但し、図４中、４０は、回路基板３７を枠形部３５に固定するねじ部材（固定具）を示す。
【００３３】
同構造により、制御部３０は、電装箱３９を凹部３１内へ差し込み、カバー部３３を薬液タンク２の前面壁６ａに固定することによって、凹部３１内に収納させてある。
【００３４】
このときの蓋部材３２の固定には、例えばカバー部３３の周縁部を、シールしながら、凹部３１の開口縁に固定する構造が用いられている。具体的には、同固定には図３に示されるように、カバー部３３の周縁部、例えば上部と左右両側にフランジ４１を一体に形成し、凹部３１の開口縁部に、フランジ形状に対応した取付座４２を形成した構成が用いられる。そして、フランジ４１が、シール部材４３（フランジ形状と対応した形状をもつ）を挟んで、取付座４２に締結されることによって、カバー部３３を薬液タンク２に固定させている。このときのフランジ４１の固定には、取付座４２の各部の壁部分に、薬液槽２内に露出しないようナット部材４４を袋状にインサートし、このナット部材４４へ、フランジ４１を通してねじ部材４５をねじ込む構造が用いてある。同構造により、薬液槽２内の薬液が槽外へ漏れ出ずに、カバー部３３を薬液タンク２に固定させている。
【００３５】
この凹部３１内に収めた電装箱３９（制御部３０が内蔵の枠形部３５）から延びる各種配線ケーブル４７が、凹部３１の下側の開口３１ｂを通じて、機器収納域Ａへ導かれ、同機器収納域Ａ内に設置してある薬液注入ポンプ１０、流量センサ部２４、凍結防止用ヒータ２５などと結線してある。
【００３６】
制御部３０には、流量センサ部２４で検出される流体（井戸水）の流量に応じて薬液注入ポンプ１０の運転を制御する機能が設定されている。これにより、操作パネル３７ａの操作により、除菌運転を開始すると、薬液注入ポンプ１０が運転されて、薬液注入モジュール２０内を流れる流体に、その流体の流量に比例した量で、薬液が注入されるようにしている。
【００３７】
また薬液タンク２の前面には、図１及び図２に示されるように薬液タンク２の凹んだ部分を補うよう、透視性の前面カバー４８が着脱可能に取り付けられている。この前面カバー４８により、薬液タンク２に収めたカバー部３３および機器収容域Ａの全体を最前部から覆い、電装箱３９のシール性を高めている。
【００３８】
このように構成された除菌装置によると、制御部３０は、絶縁不良を招きやすい薬液注入ポンプ１０から隔てられた地点にある薬液タンク２に配置されるだけでなく、該薬液タンク２の一部に埋め込まれるように設置してあるので、薬液タンク２のコンパクト化を保ちながら、薬液注入ポンプ１０の薬液に影響されず（ポンプに対する絶縁不良なく）に設置できる。特に制御部３０の収納構造は、薬液タンク２の壁部に形成した凹部３１に収納するだけなので、簡単である。
【００３９】
しかも、薬液タンク２は、凹部３１の下部を、薬液注入ポンプ１０を収めた機器収納域Ａに開口させて、制御部３０と薬液注入ポンプ１０間を配線ケーブル４７が挿通できるようにしてあるので、制御部３０〜薬液注入ポンプ１０の結線が容易に行える。特に凹部３１の下部の開口３１ａは、万一、凹部３１内が浸水したとき際の水抜きとしても機能する利点がある。
【００４０】
また制御部３０は、凹部３１の前面を塞ぐカバー部３３を用いて、凹部３１内に収めるようにしてあるので、制御部３０の収納は簡単な構造ですむ。特にカバー部３３の周縁部は、凹部３１の開口縁に、シールされながら固定してあるので、制御部３０に対するシール性の負担は少なく、本実施形態のような枠形部３５ですむなど、機器設置部３４の構造は、簡素な構造ですむ。
【００４１】
そのうえ、前面カバー４８で、カバー部３３の前面側を覆うようにすると、カバー部３３のシール性に、前面カバー４８のシール性が加わるから、制御部３０は、一層、高いシール性で外部から守られ、外部からの水や薬液の進入に十分に耐える性能を与えることができる。特に前面カバー４８を用いる場合、一枚の部材で、カバー部３３の前面と機器収納域Ａの最前部を覆う構造にすると、簡単な構造ですむ。
【００４２】
なお、本発明は上述した一実施形態に限定されるものではなく、本発明の主旨を逸脱しない範囲内で種々変更して実施しても構わない。例えば一実施形態では、除菌装置に本発明を適用した例を挙げたが、これに限らず、それ以外の薬液を注入する装置（薬液注入装置）に適用してもよい。
【図面の簡単な説明】
【００４３】
【図１】本発明の一実施形態に係る薬液注入装置の各部を示す図。
【図２】前面カバーを薬液槽から取外したときを示す分解斜視図。
【図３】制御部を内蔵した蓋部材を薬液槽から取外したときを示す分解斜視図。
【図４】同蓋部材から制御部を取外したときを示す分解斜視図。
【符号の説明】
【００４４】
２…薬液タンク（薬液槽）、１０…薬液注入ポンプ、２０…薬液注入モジュール（薬液注入部）、３０…制御部、３１…凹部、３２…蓋部材、３３…カバー部、３４…機器設置部、３７…回路基板、３９…電装箱、４３…シール部材、４８…前面カバー。
【図１】
2006081976.tif 000003
【図２】
2006081976.tif 000004
【図３】
2006081976.tif 000005
【図４】
2006081976.tif 000006